(57)【特許請求の範囲】
【請求項１】
両側面の有るコンクリート部の上に据え付けるコアドリル装置のベース又は該ベースを載置し取付ける補助ベースに１以上の水平孔を開けて、前記両側面と交差する方向に挿通する貫通バーと、
前記貫通バーの両端をそれぞれ挿通し垂下させる一対のクランプアームと、
前記一対のクランプアームの下端のメネジ孔に螺入される一対のクランプネジ棒とをそれぞれ有しており、
前記クランプアームの上端の貫通バー挿通孔は、その中で前記貫通バーが自由にスライド移動できる程度の余裕があること、
前記一対のクランプネジ棒を回して、それぞれの先端で前記コンクリート部を両側から挟んで締め着けた際に、両クランプアーム下端がコンクリート部から離れる方向に移動し、前記貫通バー挿通孔の上下部により、前記貫通バーが下向き凸状に湾曲される力で、前記のベース又は補助ベースがコンクリート部の上面に押し付けられる構造となっていること、
を特徴とするコアドリル装置のベース取付け構造。
【請求項２】
前記の貫通バーの断面形状は長方形状又は長円状であり、該貫通バーが挿通されるクランプアームの挿通孔も長方形状又は長円状であり、該挿通孔の長辺方向又は長円方向とクランプアームの長手方向が互いに一致又は平行していることを特徴とする請求項１に記載のコアドリル装置のベース取付け構造。  
【請求項３】
前記のクランプネジ棒の先端に、コンクリート部の側面への当接面を有する保護座が可動自在に取付け連結されていることを特徴とする請求項１または請求項２に記載のコアドリル装置のベース取付け構造。
【請求項４】
前記補助ベースの天板に、コンクリート部の両側面に位置する一対の側板を固定し、該側板に、貫通バーが挿通される水平孔を開けてあることを特徴とする請求項１、請求項２または請求項３に記載のコアドリル装置のベース取付け構造。
【請求項５】
前記側板の水平孔は上下複数段有り、しかも前記貫通バーの両端に、クランプアームの抜け止め用のＯリングを嵌めることができる形状になっていることを特徴とする請求項１から請求項４までのいずれかの項に記載のコアドリル装置のベース取付け構造。
【請求項６】
両側面の有るコンクリート部の上に据え付けるコアドリル装置のベース又は該ベースを載置し取付ける補助ベースに１以上の水平孔を開けて、前記両側面と交差する方向に挿通する貫通バーと、
前記貫通バーの両端をそれぞれ挿通し垂下させる一対のクランプアームと、
前記一対のクランプアームの下端のメネジ孔に螺入される一対のクランプネジ棒とをそれぞれ有しており、
前記クランプアームの上端の貫通バー挿通孔は、その中で前記貫通バーが自由にスライド移動できる程度の余裕があること、
前記水平孔に挿通した貫通バーの両端を一対のクランプアームの上端の貫通バー挿通孔に挿通し、下端のメネジ孔に螺入した一対のクランプネジ棒を回して、それぞれの先端でコンクリート部を両側から挟んで締め着けた際に、両クランプアーム下端がコンクリート部から離れる方向に移動し、前記貫通バー挿通孔の上下部により、前記貫通バーが下向き凸状に湾曲される力で、前記ベース又は補助ベースがコンクリート部の上面に押し付けられる構造となっていること、
を特徴とするコアドリル装置。
【請求項７】
レベルネジ棒を螺入するメネジ孔を前記ベースに複数開けてあり、ロック爪つきのロックナットを前記のメネジ孔に挿入支持してあること、
前記レベルネジ棒の下端に、保護座が可動自在に取付け連結されていること、を特徴とする請求項６に記載のコアドリル装置。
【発明の詳細な説明】
【技術分野】
【０００１】
本発明は、コンクリート壁などのように幅の狭い場所にコアドリル装置をアンカー無しに容易に据え付け固定できるようにした、コアドリル装置のベースの取付け構造に関する。
【背景技術】
【０００２】
従来、コアドリル装置を据え付けるには、特開2003−291133号公報に記載のように、ドリルヘッドにコアビットを有するコアドリル装置を用いる場合は、まずベースを適宜な位置に設置し、アンカーボルトによってベースを設置位置に固定すると共に、高さ調節ボルトによってベースの傾きやガタつきを修正してコアドリル装置の据え付けを行う。その後、コアビットを回転させた状態でスライドブロックを支柱に沿って移動させ、コアビットをコンクリートなどの被削物に押し当てて穿孔を行う。
【特許文献１】特開2003−291133号公報
【発明の開示】
【発明が解決しようとする課題】
【０００３】
このように、従来のコアドリル装置の据え付け作業は、被削物であるコンクリートにアンカーボルトを固定する必要があるが、納品されるコンクリート物にアンカーボルトなどによって傷つけるのを嫌がる場合が多い。また、アンカーボルトの取付け作業が面倒で、施工作業全体の能率を低下させ、納期の遅れを招くという問題を来す。
本発明の技術的課題は、このような問題に着目し、アンカーボルトを利用しないで、すなわち、納品されるコンクリート物に全く傷つけること無しに、コアドリル装置の据え付けを可能とし、しかも素人でも簡単な操作で容易に短時間に据え付け可能なコアドリル装置のベース取付け構造を実現することにある。
【課題を解決するための手段】
【０００４】
本発明の技術的課題は次のような手段によって解決される。請求項１は、両側面の有るコンクリート部の上に据え付けるコアドリル装置のベース又は該ベースを載置し取付ける補助ベースに１以上の水平孔を開けて、前記両側面と交差する方向に挿通する貫通バーと、
前記貫通バーの両端をそれぞれ挿通し垂下させる一対のクランプアームと、
前記一対のクランプアームの下端のメネジ孔に螺入される一対のクランプネジ棒とをそれぞれ有しており、
前記クランプアームの上端の貫通バー挿通孔は、その中で前記貫通バーが自由にスライド移動できる程度の余裕があること、
前記一対のクランプネジ棒を回して、それぞれの先端で前記コンクリート部を両側から挟んで締め着けた際に、両クランプアーム下端がコンクリート部から離れる方向に移動し、前記貫通バー挿通孔の上下部により、前記貫通バーが下向き凸状に湾曲される力で、前記のベース又は補助ベースがコンクリート部の上面に押し付けられる構造となっていること、
を特徴とするコアドリル装置のベース取付け構造である。
【０００５】
このように、コンクリート壁などのように、両側面の有るコンクリート部の上にコアドリル装置を据え付ける場合に、コアドリル装置のベースに１以上の水平孔を開けて、コンクリート側面と交差する方向に貫通バーを挿通する構造になっている。さらに、この貫通バーの両端がそれぞれ挿通されるクランプアームを有し、クランプアーム上端の貫通バー挿通孔は、その中で前記貫通バーが自由にスライド移動できる程度の余裕があり、クランプアーム下端に開けたメネジ孔にクランプネジ棒を螺入してある。
据え付けに際しては、コンクリート壁の両側のクランプネジ棒の先端をコンクリート壁面に当てて、コンクリート部を両側から挟むように、クランプネジ棒を回して締め着けていくと、クランプアーム他方がコンクリート部から離れる方向に移動して、クランプアーム上端の貫通バー挿通孔の上下部で、貫通バーを下向き凸状に湾曲させる力が作用する。その結果、貫通バーでコアドリルベースをコンクリート部の上面に押し付けるように作用する。そして、貫通バーが限界まで湾曲すると、クランプネジ棒による締め着けは不能となり、コアドリル装置ベースのコンクリート部へのクランプ固定は完了である。
したがって、アンカー無しでも簡単な操作でコアドリル装置のベースを、孔開けするコンクリート部に据え付け固定でき、しかも据え付け操作中にベースが移動したりすることもなく、所定の位置に確実に固定できる。なお、コアドリル装置ベースを、一旦別の補助ベースに取付け固定し、補助ベースをコンクリート部に、前記の貫通バーとクランプアームとクランプネジ棒で取付け固定することもできる。
【０００６】
請求項２は、前記の貫通バーの断面形状は長方形状又は長円状であり、該貫通バーが挿通されるクランプアームの挿通孔も長方形状又は長円状であり、該挿通孔の長辺方向又は長円方向とクランプアームの長手方向が互いに一致又は平行していることを特徴とする請求項１に記載のコアドリル装置のベース取付け構造である。
クランプネジ棒締め着け時に、クランプアームによる、貫通バーを湾曲させる方向の曲げ力は極めて強大となるため、貫通バーが容易に湾曲すると、コアドリル装置ベースのコンクリート部への固定力が不十分となる恐れがある。
ところが、請求項２のように、前記貫通バーの断面形状を長方形状又は長円状とし、該貫通バーが挿通されるクランプアームの挿通孔も長方形状又は長円状とすると共に、該挿通孔の長辺方向又は長円方向とクランプアームの長手方向が互いに一致又は平行する方向にして使用すると、貫通バーの断面長辺方向又は長円方向に湾曲することになり、湾曲し難い方向に少量湾曲させるだけでクランプ力を得るため、強力なクランプが可能となる。
【０００７】
請求項３は、前記のクランプネジ棒の先端に、コンクリート側面への当接面を有する保護座が可動自在に取付け連結されていることを特徴とする請求項１または請求項２に記載のコアドリル装置のベース取付け構造である。
このように、前記のクランプネジ棒の先端に、コンクリート部側面への当接面を有する保護座が可動自在に取付け連結されているため、クランプネジ棒を締め着ける際に、保護座はコンクリート面には固定で、クランプネジ棒先端には可動自在となるので、コンクリート部が傷つく恐れはない。また、コンクリート側面に対するクランプネジ棒の角度が変化しても、クランプネジ棒の締め着け操作は容易で、かつクランプネジ棒の着け付け力を効果的に貫通バーの湾曲力に利用できる。
【０００８】
請求項４は、前記補助ベースの天板は、コンクリート部の両側面に位置する一対の側板を有し、該側板に、貫通バーが挿通される水平孔を開けてあることを特徴とする請求項１、請求項２または請求項３に記載のコアドリル装置のベース取付け構造である。
補助ベースを介して、コアドリル装置をコンクリート部に据え付ける場合は、コアドリル装置のベースを載せる天板に、コンクリート部の両側面に位置する一対の側板を固定する構造とし、該側板に、貫通バーが挿通される水平孔を開けてあるため、両側板がコンクリート部を跨ぐように嵌め込むだけで、コアドリル装置のベースを安定よく位置決めでき、据え付け操作が簡便・迅速になる。
【０００９】
請求項５は、前記側板の水平孔が上下複数段有り、しかも前記貫通バーの両端に、クランプアームの抜け止め用のＯリングを嵌めることができる形状になっていることを特徴とする請求項１から請求項４までのいずれかの項に記載のコアドリル装置のベース取付け構造である。
このように、補助ベースの側板の水平孔が上下複数段有るため、階段の手摺りなどのように、傾斜したコンクリート壁にコアドリル装置を据え付ける場合に、傾斜の下側は、下段の水平孔に貫通バーを挿通すると、傾斜コンクリート壁の上面近くに下段貫通バーも配置できる。
また、前記貫通バーの両端に、クランプアームの抜け止め用のＯリングを嵌めることができる形状になっているため、ベースの水平孔に貫通バーを挿通し、しかもクランプアームに挿通した状態でＯリングを嵌めておくと、クランプアームが容易に貫通バー先端から離脱するのをＯリングで防止でき、移動時などの取り扱いが簡便となり、クランプアームの紛失も防げる。
【００１０】
請求項６は、両側面の有るコンクリート部の上に据え付けるコアドリル装置のベース又は該ベースを載置し取付ける補助ベースに１以上の水平孔を開けて、前記両側面と交差する方向に挿通する貫通バーと、
前記貫通バーの両端をそれぞれ挿通し垂下させる一対のクランプアームと、
前記一対のクランプアームの下端のメネジ孔に螺入される一対のクランプネジ棒とをそれぞれ有しており、
前記クランプアームの上端の貫通バー挿通孔は、その中で前記貫通バーが自由にスライド移動できる程度の余裕があること、
前記水平孔に挿通した貫通バーの両端を一対のクランプアームの上端の貫通バー挿通孔に挿通し、下端のメネジ孔に螺入した一対のクランプネジ棒を回して、それぞれの先端でコンクリート部を両側から挟んで締め着けた際に、両クランプアーム下端がコンクリート部から離れる方向に移動し、前記貫通バー挿通孔の上下部により、前記貫通バーが下向き凸状に湾曲される力で、前記ベース又は補助ベースがコンクリート部の上面に押し付けられる構造となっていること、を特徴とするコアドリル装置である。
このように、両側面の有るコンクリート部の上に据え付けるコアドリル装置のベース又は該ベースを載置し取付ける補助ベースに１以上の水平孔を開けて、前記両側面と交差する方向に挿通する貫通バーと、
前記貫通バーの両端をそれぞれ挿通し垂下させる一対のクランプアームと、
前記一対のクランプアームの下端のメネジ孔に螺入される一対のクランプネジ棒とをそれぞれ有している。
そして、前記クランプアームの上端の貫通バー挿通孔は、その中で前記貫通バーが自由にスライド移動できる程度の余裕がある。
据え付けに当たって、前記水平孔に挿通した貫通バーの両端を一対のクランプアームの上端の貫通バー挿通孔に挿通し、下端のメネジ孔に螺入した一対のクランプネジ棒を回して、それぞれの先端でコンクリート部を両側から挟んで締め着けた際に、両クランプアーム下端がコンクリート部から離れる方向に移動すると、前記貫通バー挿通孔の上下部により、前記貫通バーが下向き凸状に湾曲される力で、前記ベース又は補助ベースがコンクリート部の上面に押し付けられる。
従って、ベースの水平孔に貫通バーを挿通し、両端にクランプアームを取付ければ、クランプネジ棒を締め着けるだけで、コアドリル装置ベースをコンクリート部に強固に据え付け固定できる。
【００１１】
請求項７は、レベルネジ棒を螺入するメネジ孔を前記ベースに複数開けてあり、ロック爪つきのロックナットを前記のメネジ孔に挿入支持してあること、前記レベルネジ棒の下端に、保護座が可動自在に取付け連結されていること、を特徴とする請求項６に記載のコアドリル装置である。
このように、レベルネジ棒を螺入するメネジ孔を前記ベースに複数開けてあり、ロック爪つきのロックナットを前記のメネジ孔に挿入支持してあるため、ベースの水平レベルを調節する際に、各レベルネジ棒を螺入し調節するだけで、そのまま自動的にレベルネジ棒がロックされるので、レベル調節が簡便である。
また、前記レベルネジ棒の下端に、保護座が可動自在に取付け連結されているため、ベースをコンクリート部や補助ベースに載置し据え付け固定する場合に、コンクリート部や補助ベースにレベルネジ棒で傷つく恐れはなく、またレベル調節操作が円滑になる。
【発明の効果】
【００１２】
請求項１のように、コンクリート部を両側から挟むように、クランプネジ棒を回して締め着けていくと、クランプアーム下端がコンクリート部から離れる方向に移動して、クランプアーム上端の貫通バー挿通孔の上下部で、貫通バーを下向き凸状に湾曲させる力が作用するので、貫通バーでコアドリルベースをコンクリート部の上面に押し着けることができる。従って、アンカー無しでも、簡単な操作でコアドリル装置のベースを、孔開けするコンクリート部に据え付け固定できる。
【００１３】
請求項２のように、前記貫通バーの断面形状を長方形状又は長円状とし、該貫通バーが挿通されるクランプアームの挿通孔も長方形状又は長円状とすると共に、該挿通孔の長辺方向又は長円方向とクランプアームの長手方向が互いに一致又は平行する方向にして使用すると、貫通バーの断面長辺方向又は長円方向に湾曲することになり、湾曲し難い方向に少量湾曲させるだけでクランプ力を得るため、強力なクランプが可能となる。
【００１４】
請求項３のように、前記のクランプネジ棒の先端に、コンクリート部側面への当接面を有する保護座が可動自在に取付け連結されているため、クランプネジ棒を締め着ける際に、保護座はコンクリート面には固定で、クランプネジ棒先端には可動自在となるので、コンクリート部が傷つく恐れはない。また、コンクリート側面に対するクランプネジ棒の角度が変化しても、クランプネジ棒の締め着け操作は容易で、かつクランプネジ棒の着け付け力を効果的に貫通バーの湾曲力に利用できる。
【００１５】
請求項４のように、補助ベースを介して、コアドリル装置をコンクリート部に据え付ける場合は、コアドリル装置のベースを載せる天板に、コンクリート部の両側面に位置する一対の側板を固定する構造とし、該側板に、貫通バーが挿通される水平孔を開けてあるため、両側板がコンクリート部を跨ぐように嵌め込むだけで、コアドリル装置のベースを安定よく位置決めでき、据え付け操作が簡便・迅速になる。
【００１６】
請求項５のように、補助ベースの側板の水平孔が上下複数段有るため、階段の手摺りなどのように、傾斜したコンクリート壁にコアドリル装置を据え付ける場合に、傾斜の下側は、下段の水平孔に貫通バーを挿通すると、傾斜コンクリート壁の上面近くに下段貫通バーも配置できる。
また、前記貫通バーの両端に、クランプアームの抜け止め用のＯリングを嵌めることができる形状になっているため、ベースの水平孔に貫通バーを挿通し、しかもクランプアームに挿通した状態でＯリングを嵌めておくと、クランプアームが容易に貫通バー先端から離脱するのをＯリングで防止でき、移動時などの取り扱いが簡便となり、クランプアームの紛失も防げる。
【００１７】
請求項６のように、コアドリル装置ベースの水平孔に挿通した貫通バーの両端を一対のクランプアームの上端の貫通バー挿通孔に挿通し、下端のメネジ孔に螺入した一対のクランプネジ棒を回して、それぞれの先端でコンクリート部を両側から挟んで締め着けた際に、両クランプアーム下端がコンクリート部から離れる方向に移動すると、前記貫通バー挿通孔の上下部により、前記貫通バーが下向き凸状に湾曲される力で、前記ベース又は補助ベースをコンクリート部の上面に押し着けることができる。
従って、コアドリル装置ベースの水平孔に貫通バーを挿通し、両端にクランプアームを取付ければ、クランプネジ棒を締め着けるだけで、コアドリル装置ベースをコンクリート部に強固に据え付け固定できる。
【００１８】
請求項７のように、レベルネジ棒を螺入するメネジ孔を前記ベースに複数開けてあり、ロック爪つきのロックナットを前記のメネジ孔に挿入支持してあるため、ベースの水平レベルを調節する際に、各レベルネジ棒を螺入し調節するだけで、そのまま自動的にレベルネジ棒がロックされるので、レベル調節が簡便である。
また、前記レベルネジ棒の下端に、保護座が可動自在に取付け連結されているため、ベースをコンクリート部や補助ベースに載置し据え付け固定する場合に、コンクリート部や補助ベースにレベルネジ棒で傷つく恐れはなく、またレベル調節操作が円滑になる。
【発明を実施するための最良の形態】
【００１９】
次に本発明によるコアドリル装置のベース取付け構造が実際上どのように具体化されるか実施形態を説明する。図１は、コアドリル装置のベースＢをコンクリート壁Ｃ上に据え付け固定した状態を示す斜視図である。ベースＢに固定されている支柱１にガイドされながら、ドリルヘッド２が上下動して、コアビット３をコンクリート壁Ｃに対し、上下させる。コアビット３の回転は、ドリルヘッド２上のモータＭで行われる。
【００２０】
支柱１の側面に設けたラックと噛み合うピニオンがドリルヘッド２中に内蔵されており、ハンドル軸４で回転される。したがって、ハンドル５によってハンドル軸４を回転させると、ピニオンの回転によってドリルヘッド２が上下動できる。コンクリート壁Ｃに孔開けする際は、モータＭでコアビット３を回転させながら、ハンドル５の操作でドリルヘッド２を介してコアビット３を押し下げ、コンクリート壁Ｃの上面に孔開けする。
【００２１】
ベースＢは、通常はコンクリート壁Ｃ中に埋め込んだアンカーボルトを用いて固定されるが、本発明の場合は、図２のように貫通バー６をベースＢの水平孔ｈに挿通し、貫通バー６両端を挿通した両クランプアームＡ・Ａの下端をクランプネジ棒Ｓ・Ｓで締め着け固定する。ハンドル18は、クランプネジ棒Ｓの回転操作用である。
ベースＢの４か所のメネジ孔には、４本のレベルネジ棒Ｌを螺入し立ててあり、ベースＢが水平になるように、各レベルネジ棒Ｌで調節してある。なお、図７はベースＢの分解斜視図である。
【００２２】
図２は、貫通バー６による固定作用を説明する縦断面図で、（１）は締め着け前の状態、（２）は締め着け完了し、固定した状態である。
（１）のように、コンクリート壁Ｃ上に、コアドリル装置のベースＢを載置し、大まかにレベル調節した状態において、左右のクランプアームＡ・Ａの下部に螺入したクランプネジ棒Ｓ・Ｓを締め着けると、その先端の保護座９・９がコンクリート部Ｃの側面に当たって、（２）図のように、クランプアームＡ・Ａ下部がコンクリート壁Ｃから離れる方向に変位する。
その結果、左右のクランプアームＡ・Ａ上端の挿通孔７・７中の貫通バー６に、挿通孔７・７の上下部によって、貫通バー６を下向き凸状となるように湾曲させる力となって作用する。この下向き湾曲力によって、ベースＢの水平孔ｈの部分が下向きに押しつけられ、コンクリート壁Ｃ上に据え付け固定される。
【００２３】
そして、貫通バー６の湾曲が限界に達し、それ以上湾曲不可能となると、クランプネジ棒Ｓによる締め着けも限界となり、ベースＢを強固にロックした状態で最終的に安定する。その後、各レベルネジ棒Ｌ…で最終のレベル調整をする。
このように、ベースＢの水平孔ｈ中に挿通した貫通バー６の両端を挿通してあるクランプアームＡ・Ａの下端が、コンクリート壁Ｃから離れるように、クランプネジ棒Ｓ・Ｓで締め着けるだけで、コアドリル装置のベースＢをコンクリート壁Ｃ上に据え付け固定できるので、従来のように、アンカーボルトを打ち込む必要はなく、また最終レベル調節時にベースＢが動いたりする恐れもなく、据え付け作業が簡便で迅速になり、施工期間も短縮される。
【００２４】
クランプアームＡ・Ａを、前記貫通バー６の両端により近い位置にセットする方が、貫通バー６を湾曲させ易い。したがって、鎖線Ａ’のように、貫通バー６の両端寄りにクランプアームＡ・Ａを位置決めすると、湾曲が容易になる。
なお、各レベルネジ棒Ｌ…によるレベル調整をしないで、貫通バー６をコンクリート壁Ｃに取付け固定してから、各レベルネジ棒Ｌ…でベースＢのレベル調整をすることも可能である。
【００２５】
以上のように、ベースＢの水平孔ｈに挿通する貫通バー６とクランプアームＡとクランプネジ棒Ｓとを付属品として装備しておくだけで足り、しかもコアドリル装置がケースに収納して携帯できるタイプの場合は、ケース中の隙間に内蔵できる程度の小型軽量であるため、図９のように、従来の携帯ケースを大型化する必要もない。
【００２６】
図３は、ラックつき支柱の角度可変タイプであり、ベースＢの水平軸８を、図１のラックつき支柱１の下部の水平孔に挿入して、ラックつき支柱１を水平軸８を中心にして角度調節可能になっている。このタイプは、ベースＢが堅牢な構造となっている。
図３からも明らかなように、ベースＢの水平孔ｈは、コンクリート壁Ｃの側面に対し直交する方向に、前後２組開けてあり、かつ真円になっている。これに対し、水平孔ｈ中に挿通する貫通バー６の断面形状は、真円状や正方形状、多角形状なども不可能ではないが、強度的には、図示のような断面長方形状が適しており、かつ立てて使用する。そして、貫通バー６の両端に、クランプアームＡを下向きに垂下させるように取付ける。そのため、貫通バー６の断面長方形状に合わせて、クランプアームＡの貫通バー挿通孔７も長方形状にする。サイズは、挿通孔７の中で貫通バー６が自由にスライド移動できる程度の余裕があり、少々のガタが生じる程度でもよい。
【００２７】
そして、該挿通孔７の長辺方向とクランプアームＡの長手方向が互いに一致又は平行している。
その結果、クランプネジ棒Ｓの先端をコンクリート壁Ｃに当てて締め着けることで、クランプアームＡ下端をコンクリート壁Ｃから遠ざかる方向に変位させた際に、クランプアームＡ上端は、貫通バー６の長辺方向の面内で湾曲することになる。つまり、断面長方形状の貫通バー６は、寸法が大きく、変形困難な方向に湾曲されるため、小型軽量であるにも係わらず、貫通バー６が容易に湾曲することなく、大きな力で湾曲させ強固にクランプできる。
【００２８】
図示例では、貫通バー６の断面形状やその挿通孔７は長方形状であるが、長円状も可能である。その場合は、挿通孔７の長円方向とクランプアームＡの長手方向が互いに一致又は平行することになる。
図示例では、貫通バー６は前後２組になっているが、中央に１組のみでも可能である。この場合は、安定性を向上させるために、断面長方形状や長円状の貫通バー６を寝かせた状態で使用することもできる。したがって、貫通バー６を挿通する挿通孔７も、長方形状や長円状を水平方向に寝かせた状態となり、長方形状や長円状の短辺（短円）方向にクランプアームＡが垂下し延びることになる。なお、前後２組の貫通バー６・６も、断面長方形状や長円状を寝かせた状態で使用することもできる。
【００２９】
レベルネジ棒ＬによってベースＢを水平に調節し、コンクリート壁Ｃ上面に固定した際に、レベルネジ棒Ｌの下端でコンクリート壁Ｃに傷つけるという問題があるが、本発明は、各レベルネジ棒Ｌ下端に取付けた保護座９で、コンクリート壁Ｃ上面を保護している。レベルネジ棒ＬをベースＢのメネジ孔１４中に螺入し挿通した状態で、ベースＢの下側において、保護座９を取付ける。すなわち、レベルネジ棒Ｌ下端に形成した括れ部１０にＯリング１１を嵌めた状態で、球状足部１２と共に、保護座９の上向き孔１３中に強引に挿入すると、上向き孔１３内壁の凹溝中にＯリング１１が嵌入することで、球状足部１２が保護座９の上向き孔１３中から容易に離脱不能となる。
【００３０】
しかも、ゴム製又は軟質合成樹脂製のＯリング１１の弾力によって、保護座９がレベルネジ棒Ｌ下端に対し可動自在となるので、保護座９がコンクリート壁Ｃ上面にぴったりと安定している状態で、レベル調節によってベースＢやレベルネジ棒Ｌの角度が自由に変化できる。かつ、レベルネジ棒Ｌが容易に回転できる。なお、前記のクランプネジ棒Ｓ先端の保護座９も全く同様に球状足部の付け根の括れ部に嵌めたＯリングで可動自在に保持されている。
【００３１】
レベルネジ棒Ｌの弛み防止のために、ロックナット１５を前記メネジ孔１４中に収納固定してある。このロックナット１５は、その詳細斜視図からも明らかなように、そのメネジ孔の下部に、１周分のネジ山が中断分割された形状のロック爪１６、１６が形成されている。そして、ロックナット１５の外面のオネジで、ベースＢのメネジ孔１４中に下側から螺入し固定してある。その結果、レベルネジ棒ＬでベースＢの高さ調節をした状態で、従来のような特別のロックナットを締めなくても、ばね力の強いロック爪１６、１６がレベルネジ棒Ｌのネジ山間の谷部に嵌入することで、レベルネジ棒Ｌの緩みが阻止される。
【００３２】
こうして、ロック爪１６、１６がレベルネジ棒Ｌのネジ山の谷部に嵌入し、圧入している間は、レベルネジ棒Ｌを回転操作する際の抵抗が大きいので、レベルネジ棒Ｌの上端に開けた水平孔に操作リング１７を挿入し取付けてある。これを起こして、回転操作すれば、レベルネジ棒Ｌ上端の頭部を直接指で摘んで回転させるよりも力が入り易く、強固に操作できる。ただし、操作性が悪く、時間を要する。ロック爪１６、１６が嵌合しない領域では、軽く回転できるので、頭部を直接摘んで迅速回転させるのがよい。
図１のようにベースＢが上下２分割の構造では、図７のように上側ベースＢ１のメネジ孔１４中に分割面側からロックナット１５を挿入固定する。水平孔ｈは、上側ベースＢ１に開けてもよい。図示の下側ベースＢ２は、上側ベースＢ１の支柱１保持部１Ｈを切除し、上下逆さにしたものである。なお、水平孔ｈは、必ずしも真円である必要はない。
【００３３】
各レベルネジ棒Ｌやクランプネジ棒Ｓを回転操作している間に、Ｏリング１１は損傷し消耗するので、前記の操作リング１７の隙間１９から予備のＯリング１１を複数個挿入して保管しておくのがよい。貫通バー６の両端に、前記Ｏリング１１を嵌め込んでおくと、クランプアームＡの抜け止めとしても有効である。大径のＯリングであれば、貫通バー６に直接嵌め込んで、貫通バー６の全周に鉢巻き状に巻くこともできる。小径のＯリング１１の場合は、図３のように、貫通バー６の両端に切り込み２０を入れて２股状とし、その片側だけにＯリング１１を嵌めて巻き付けるのがよい。
なお、Ｏリング１１が抜け難いように、図２のように、２股状部の上面に凹部２０ａを形成して、Ｏリング１１を嵌め込むのがよい。
【００３４】
図４は、補助ベースを用いる実施形態を示す斜視図である。補助ベースの金属製天板２１にメネジ孔２２を開けて、コアドリル装置のベースＢのほぼ中央の縦孔２３から挿入したセンターボルト２４をねじ込んで締め着けることで、ベースＢを天板２１上に固定する。固定に先立って、各レベルネジ棒Ｌ…で、ベースＢが水平になるように大まかなレベル調節をしておくことは言うまでもない。
センターボルト２４でベースＢを直接押さえ付けることも可能であるが、ピローボール２５を介在させ、センターボルト２４の大径押さえ部２６でピローボール２５を押さえ着ける構造を採っている。
【００３５】
天板２１の両端面に、コンクリート壁Ｃの両側面に位置する一対の側板Ｐ１、Ｐ２を取付け固定し、一体化してある。そして、側板Ｐ１、Ｐ２に、貫通バー６を挿通するための水平孔ｈを開けてある。
使用に際しては、コンクリート壁Ｃを跨ぐように、コンクリート壁Ｃの上に補助ベースの載せて、一対の側板Ｐ１、Ｐ２でコンクリート壁Ｃを挟むようにする。そして、クランプアームＡ下端のクランプネジ棒Ｓを締め着けると、水平孔ｈ中の貫通バー６の両端に、貫通バー６を下向き凸状に湾曲させる力が作用し、補助ベースの角材２７・２７をコンクリート壁Ｃ上面に押し着けた状態で固定される。
補助ベースを用いると、このように、ベースＢの位置決めが簡単になる。また、コンクリート壁Ｃの上面が平坦にそろっていないために、図１〜図３のような、ベースＢの直接据え付けに適しない場合にも便利である。
【００３６】
図示例では、保護座９をコンクリート壁Ｃに当てているが、鎖線のように、側板Ｐ１、（Ｐ２）の外面に当てることもできる。クランプネジ棒Ｓを締め着けると、保護座９で側板Ｐ１、（Ｐ２）をコンクリート壁Ｃ両側面に押し付け固定することになる。この場合は、一対の側板Ｐ１、Ｐ２が、コンクリート壁Ｃの両側面にぴったりと密着する程度の寸法に形成するのがよい。側板Ｐ１、Ｐ２の下側がコンクリート部Ｃ側に多少変形できるよう弾性を有しておれば、コンクリート部Ｃの両側面との間に隙間が存在してもクランプ可能である。
側板Ｐ１、Ｐ２と天板２１との間の角部に角材２７・２７を介在させ、互いに強固に補強固定してあり、角材２７・２７に水平孔ｈを開けてある。側板Ｐ１、Ｐ２を分離すると、図８のようになる。前記の両角材２７・２７を一体化して、その中央にセンターボルト２４用のメネジ孔２２を開けてもよい。このとき、天板２１も一体化できる。
【００３７】
図４は、コンクリート壁Ｃの上面が水平の例であるが、図５、図６のように階段の手摺りなどにおいて、コンクリート壁Ｃが傾斜している場合は、水平孔ｈは、上下複数段に開けることが望ましい。
この場合は、図６のように、傾斜の下側は、下段の水平孔ｈに貫通バー６を挿通して、保護座９でコンクリート壁Ｃに締め着け固定すると、貫通バー６を、コンクリート壁Ｃの上面に近い位置で湾曲固定でき、安定性が向上する。
なお、前記の補強材２７・２７の下面を、コンクリート壁Ｃ上面の傾斜と同じ角度に傾斜させると、補強材２７・２７の下面全面を傾斜面に載置でき、より強固に固定できる。
また、図５、図６の傾斜手摺り面において、図４と同じ要領で天板２１を傾斜面と平行に据え付けた状態で、ベースＢを水平になるまで、又は水平に近づくように、天板２１上でレベルネジ棒Ｌ…でレベル調節することも可能である。
【００３８】
補助ベースの天板２１や側板Ｐ１、Ｐ２、補強材２７・２７は、強度上、金属製が望ましい。金属製の天板であれば、メネジ孔２２を直接開けて、センターボルト２４を螺入できるが、天板２１が木製の場合は、図６のようにナット２２Ｎを天板２１の下面に設けてセンターボルト２４を受ける必要がある。
このように木製でも充分であるが、合成樹脂製なども可能である。ただし、木製だと、現場の状況に応じた形状や寸法に即座に製作できるという利点がある。板厚などの寸法は任意であり、強度を確保できれば足りる。
なお、本発明は、コアドリル装置に適しているが、鉄筋などを挿入する際の小孔を開ける際のドリル加工装置の据え付け固定にも適用できる。
【産業上の利用可能性】
【００３９】
以上のように、本発明によると、コアドリル装置のベースや補助ベースに開けた水平孔に挿通した貫通バーの両端を、クランプアームを介してクランプネジ棒でコンクリート側面に締め着け固定する構造であるため、アンカーボルトを利用する必要がなく、納品されるコンクリート物に全く傷つける恐れが無い。しかも、据え付け操作が簡易で、熟練を要しない。その結果、短時間に据え付け可能で、納期の短縮とコストダウンが可能となる。
【図面の簡単な説明】
【００４０】
【図１】コアドリル装置のベースをコンクリート壁上に据え付け固定した状態を示す斜視図である。
【図２】貫通バーの湾曲による固定作用を説明する図で、（１）は締め着け前の正面図、（２）は締め着け完了状態の縦断面図である。
【図３】ラックつき支柱の角度可変タイプベースの実施形態を示す斜視図である。
【図４】補助ベースを用いる実施形態を示す斜視図である。
【図５】傾斜状態のコンクリート壁に補助ベースを据え付けた状態を示す斜視図である。
【図６】図５の構造の側面図である。
【図７】図１のコアドリル装置ベースの分解斜視図である。
【図８】図４の側板の分解状態である。
【図９】図１のコアドリル装置全体を分解して携帯ケースに収納した状態である。
【符号の説明】
【００４１】
Ｃ  コンクリート壁
Ｂ  コアドリル装置のベース
１  支柱
２  ドリルヘッド
３  コアビット
４  ハンドル軸
５  ハンドル
６  貫通バー
ｈ  水平孔
Ａ  垂下状のクランプアーム
Ｓ  クランプネジ棒
Ｌ  レベルネジ棒
７  貫通バーの挿通孔
９  保護座
１０  括れ部
１１  Ｏリング
１２  球状足部
１３  上向き孔
１５  ロックナット
１６  ロック爪
１７  操作リング
２０  切り込み
２１  天板
２２  ベース取付け用のメネジ孔
２３  ベース取付け用の縦孔
２４  センターボルト
２５  ピローボール
２６  大径押さえ部
Ｐ１、Ｐ２  側板
２７  補強角材
【図１】
0004457146.tif 000002
【図２】
0004457146.tif 000003
【図３】
0004457146.tif 000004
【図４】
0004457146.tif 000005
【図５】
0004457146.tif 000006
【図６】
0004457146.tif 000007
【図７】
0004457146.tif 000008
【図８】
0004457146.tif 000009
【図９】
0004457146.tif 000010